【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
ベースと、
（１）双曲面状の部分、及び、（２）カバーと上記双曲面状の部分との間に配置された部分的な回転楕円体状の反射部であって当該照明アセンブリからの対称軸からオフセットされた長軸を有する反射部、を有している、上記ベースに結合されているハウジングと、
上記カバーと、
を備え、
上記カバーは、第１の楕円体状の部分または球状の部分を有すると共に、当該カバーの中心点を更に含んでおり、
自回路基板上に複数の光源が取り付けられている、上記ハウジングの内部に配置されている回路基板、
を更に備えており、
上記部分的な回転オフセット楕円体状の反射部は、上記中心点と一致する焦点と、上記回路基板でのリングに配置された複数の第２の焦点とを有し、
上記複数の光源は、上記第１のリングに配置されている、
ことを特徴とする照明アセンブリ。
【請求項２】
上記双曲面状の部分と上記カバーとは、上記対称軸を有している、
ことを特徴とする請求項１に記載の照明アセンブリ。
【請求項３】
上記ベースと上記ハウジングと上記カバーとは、上記対称軸を有している、
ことを特徴とする請求項１に記載の照明アセンブリ。
【請求項４】
上記反射器は、上記複数の光源からの低角度光を反射する、上記カバーの内部に配置されている、
ことを特徴とする請求項１に記載の照明アセンブリ。
【請求項５】
上記反射器は、回路基板に結合されており、ヒートシンクとして機能する、
ことを特徴とする請求項４に記載の照明アセンブリ。
【請求項６】
上記光源は、固体光源である、
ことを特徴とする請求項１に記載の照明アセンブリ。
【請求項７】
上記回路基板は、上記ハウジングに直接接続されており、
上記ハウジングは、ヒートシンクとして機能し、
上記回路基板において発生した熱が、当該ハウジングへ向けて外方向へ放射状に伝導し、当該ハウジングを通じて上記ベースに伝導する、
ことを特徴とする請求項１に記載の照明アセンブリ。
【請求項８】
上記光源からの光をシフトする光シフトエレメントを更に備えている、
ことを特徴とする請求項１に記載の照明アセンブリ。
【請求項９】
上記光シフトエレメントは、上記カバー付近での第１の光シフト率、および、上記カバーでの上記第１の光シフト率よりも大きい、上記カバーの中心点付近での第２の光シフト率を有する光シフト勾配を有している物質を含んでいる、
ことを特徴とする請求項８に記載の照明アセンブリ。
【請求項１０】
上記光シフトエレメントは、支持棒を伴って上記回路基板に結合されている、
ことを特徴とする請求項８に記載の照明アセンブリ。
【請求項１１】
上記光シフトエレメントは、上記光源から離れており、球体状である、
ことを特徴とする請求項８に記載の照明アセンブリ。
【請求項１２】
上記光シフトエレメントは、上記回路基板に結合されている半球体を有している、
ことを特徴とする請求項８に記載の照明アセンブリ。
【請求項１３】
上記光シフトエレメントは、上記カバーの対称軸に対して垂直な方向に上記カバーを横切って延伸しているフィルムを有している、
ことを特徴とする請求項８に記載の照明アセンブリ。
【請求項１４】
中心点を有する第１の楕円体状の部分または球体状の部分を有している第１の部分、上記第１の部分に隣接している第２の楕円体状の部分であって当該照明アセンブリからの対称軸からオフセットされた長軸を有する部分的な楕円体状の反射部を含む第２の楕円体状の部分、および、上記第２の楕円体状の部分に隣接している双曲面体状の部分を有している筐体と、
自回路基板上に取り付けられている複数光源を有している、上記双曲面体状の部分に隣接している上記筐体の内部に配置されている回路基板と、を備え、
上記楕円体状の反射部は、上記中心点と一致する第１の焦点、及び、上記回路基板での第１のリングに配置された複数の第２の焦点を有し、
上記光源は、上記第１のリングと一致する第２のリングに配置されている、
ていることを特徴とする照明アセンブリ。
【請求項１５】
上記筐体は、
上記第１の楕円体状の部分と、
ベースと、
上記第２の楕円体状の部分を含むカバーと、
を含んでいるハウジングを備えている、
ことを特徴とする請求項１４に記載の照明アセンブリ。
【請求項１６】
上記ベースと上記ハウジングと上記カバーとは、対称軸に対応する共通軸を有している、
ことを特徴とする請求項１５に記載の照明アセンブリ。
【請求項１７】
上記第２のリングは、上記共通軸上に配置されているリングの中心点を有している、
ことを特徴とする請求項１６に記載の照明アセンブリ。
【請求項１８】
上記光源は、固体光源を含んでいる、
ことを特徴とする請求項１４に記載の照明アセンブリ。
【請求項１９】
上記固体光源は、発光ダイオードを含んでいる、
ことを特徴とする請求項１８に記載の照明アセンブリ。
【請求項２０】
上記固体光源は、固体レーザを含んでいる、
ことを特徴とする請求項１８に記載の照明アセンブリ。
【請求項２１】
対称軸を有している照明アセンブリであって、
少なくともベースおよび上記ベースに結合されているカバーを備えている筐体と、
上記筐体の内部の回路基板上にて、上記対称軸上に配置されている中心点を有している第１のリングに配置されている複数の光源と、
上記カバーの内部の第１の焦点、および、上記第１のリングに一致している連続的な第２のリングに配置されている複数の第２の焦点を有している、部分的に連続的な回転楕円体状反射器と、を備え、
上記反射器は、楕円の長軸を、上記第１の焦点と交わりつつ上記第２のリングの周りに回転することにより形成され、上記カバーを通じて上記複数の光源からの低角度光を反射する、
ことを特徴とする照明アセンブリ。
【請求項２２】
上記第１の焦点は、上記中心点と一致している、
ことを特徴とする請求項２１に記載の照明アセンブリ。
【請求項２３】
上記回路基板は、上記照明アセンブリの対称軸に対して垂直な平面上に配置されている、
ことを特徴とする請求項２１に記載の照明アセンブリ。
【請求項２４】
上記筐体は、上記ベースと上記カバーとの間に配置されているハウジングを備えており、
上記ハウジングは、上記反射器を備えている
ことを特徴とする請求項２１に記載の照明アセンブリ。
【請求項２５】
上記反射器は、オフセット楕円体状反射部を有している、
ことを特徴とする請求項２４に記載の照明アセンブリ。
【請求項２６】
上記ハウジングは、熱拡散エレメントに遷移するオフセット楕円体状反射部を有している、ことを特徴とする請求項２４に記載の照明アセンブリ。
【請求項２７】
上記反射器は、上記回路基板、及び、ヒートシンクとして機能するハウジングに結合されている、
ことを特徴とする請求項２１に記載の照明アセンブリ。
【請求項２８】
上記筐体の中に光シフトエレメントを更に備えている、
ことを特徴とする請求項２１に記載の照明アセンブリ。
【請求項２９】
上記光シフトエレメントは、上記カバー付近での第１の光シフト率、および、上記第１の光シフト率よりも大きい、上記中心点付近での第２の光シフト率を有する光シフト勾配を有している物質を含んでいるフィルムを備えている、
ことを特徴とする請求項２８に記載の照明アセンブリ。
【請求項３０】
上記光シフトエレメントは、上記第１の焦点と上記複数の光源との間に配置されている、
ことを特徴とする請求項２８に記載の照明アセンブリ。
【請求項３１】
上記光シフトエレメントは、球体状である、
ことを特徴とする請求項２８に記載の照明アセンブリ。
【請求項３２】
上記光シフトエレメントは、上記回路基板に結合されている半球体を有している、
ことを特徴とする請求項２８に記載の照明アセンブリ。
【請求項３３】
上記複数の光源は、熱を発生させ、
上記回路基板は、ヒートシンクへ向けて外方向へ放射状に熱を伝導し、上記熱は上記ヒートシンクを通じて上記ベースへ伝導する、
ことを特徴とする請求項２１に記載の照明アセンブリ。
【請求項３４】
照明アセンブリの内部に回路基板の第１のリングに配置されている発光ダイオード（ＬＥＤ）から光を生成することと、
上記ＬＥＤからの高角度光をカバーに透過させることと、
（１）共通の第１の焦点、および（２）上記第１のリングに一致する第２の焦点の第２のリング、を有する部分的に連続的な回転楕円体状を有する反射器にて、上記ＬＥＤからの低角度光を反射させることと、
上記低角度光を上記反射器から上記第１の焦点に向き付けることと、
を含み、
上記反射器は、楕円の長軸を上記第１の焦点と交わりつつ上記第２のリングの周りに回転することにより形成されたものである、
ことを特徴とする方法。
【請求項３５】
上記反射器と上記第１の焦点との間に配置されている光シフトエレメントを用いて、低角度光の周波数をシフトすることを更に含んでいる、
ことを特徴とする請求項３４に記載の方法。
【請求項３６】
上記照明アセンブリの内部に光シフトフィルムを配置することを更に含んでいる、
ことを特徴とする請求項３４に記載の方法。
【請求項３７】
上記共通の第１の焦点に配置されている光シフトエレメントを用いて、低角度光の周波
数をシフトすることを更に含んでいる、
ことを特徴とする請求項３４に記載の方法。
【請求項３８】
上記回路基板から延伸している支持棒を用いて上記共通の第１の焦点にて光シフトエレメントを配置することを更に含んでいる、
ことを特徴とする請求項３４に記載の方法。
【請求項３９】
上記回路基板から支持棒を用いて、上記共通の第１の焦点に球体状の光シフトエレメントを配置することを更に含んでいる、
ことを特徴とする請求項３４に記載の方法。
【請求項４０】
カバーと、
双曲面形状の部分を有している、上記カバーに結合されているハウジングと、
自回路基板上に複数の光源を有している、上記ハウジングの内部に配置されている第１の回路基板と、
上記光源に熱的に結合されているヒートシンクと、
を備えており、
上記ヒートシンクは、外側エッジを有している、間隙を伴う複数の層を備えており、
上記外側エッジの各々は、上記ハウジングに接続されている、
ことを特徴とする照明アセンブリ。
【請求項４１】
上記間隙を伴う複数の層の各々に熱的に結合されているヒートステークを更に備えている、
ことを特徴とする請求項４０に記載の照明アセンブリ。
【請求項４２】
上記間隙を伴う複数の層の各々および制御回路基板に熱的に結合されているヒートステークを更に備えている、
ことを特徴とする請求項４０に記載の照明アセンブリ。
【請求項４３】
上記間隙を伴う複数の層の各々、制御回路基板、およびベースに熱的に結合されているヒートステークを更に備えている、
ことを特徴とする請求項４０に記載の照明アセンブリ。
【請求項４４】
上記間隙を伴う複数の層の各々、制御回路基板、ベース、および上記第１の回路基板に熱的に結合されているヒートステークを更に備えている、
ことを特徴とする請求項４０に記載の照明アセンブリ。
【請求項４５】
上記間隙を伴う複数の層の各々は、上記ハウジングに熱的に結合されている、
ことを特徴とする請求項４０に記載の照明アセンブリ。
【請求項４６】
上記間隙を伴う複数の層は、上記ハウジングに固定されている、
ことを特徴とする請求項４０に記載の照明アセンブリ。
【請求項４７】
上記ヒートシンクは、上記間隙を伴う層の各々に結合されている中心部を含んでいる、ことを特徴とする請求項４０に記載の照明アセンブリ。
【請求項４８】
上記中心部に結合されているヒートストークを更に備えている、
ことを特徴とする請求項４７に記載の照明アセンブリ。
【請求項４９】
上記ハウジングの上記双曲面形状の部分を通過する穿孔を更に有している、
ことを特徴とする請求項４０に記載の照明アセンブリ。
【請求項５０】
上記ヒートシンクの上記間隙を伴う複数の層に隣接している上記双曲面形状の部分の中の穿孔を更に有している、
ことを特徴とする請求項４０に記載の照明アセンブリ。
【請求項５１】
上記ヒートシンクは、グラファイトベースの物質を含んでいる、
ことを特徴とする請求項４０に記載の照明アセンブリ。
【請求項５２】
光源は、固体光源を含んでいる、
ことを特徴とする請求項４０に記載の照明アセンブリ。
【請求項５３】
上記ヒートシンクは、異方性熱伝導物質を含んでいる、
ことを特徴とする請求項４０に記載の照明アセンブリ。
【請求項５４】
上記ヒートシンクは、等方性熱伝導物質を含んでいる、
ことを特徴とする請求項４０に記載の照明アセンブリ。
【請求項５５】
上記間隙を伴う複数の層は、各層を通過する各開口部を備えている
ことを特徴とする請求項４０に記載の照明アセンブリ。
【請求項５６】
上記各開口部は、軸方向に配置されている、
ことを特徴とする請求項５５に記載の照明アセンブリ。
【請求項５７】
上記ヒートシンクの各開口部の内部に配置されているヒートステークを更に備えている、
ことを特徴とする請求項４０に記載の照明アセンブリ。
【請求項５８】
上記光源は、上記各開口部の周りのリングに配置されている、
ことを特徴とする請求項５５に記載の照明アセンブリ。
【請求項５９】
上記ハウジングは、低角度光を上記カバーの外側に反射させる反射部を備えている、
ことを特徴とする請求項４０に記載の照明アセンブリ。
【請求項６０】
筐体と、
上記筐体の内部に配置されている複数の光源を有している回路基板と、
上記複数の光源の各々に付随している複数の光再指向エレメントと、
を備えており、
上記複数の光再指向エレメントの各々が、複数の光源のそれぞれの１つから放射された再指向光を、上記筐体の内部の共通点に向けて向き付ける、
ことを特徴とする照明アセンブリ。
【請求項６１】
上記回路基板は、湾曲しており、上記筐体に連続的な表面を形成している、
ことを特徴とする請求項６０に記載の照明アセンブリ。
【請求項６２】
上記回路基板は、部分的な回転楕円体である、
ことを特徴とする請求項６１に記載の照明アセンブリ。
【請求項６３】
上記部分的な回転楕円体は、上記筐体の長手方向軸を中心とする、
ことを特徴とする請求項６２に記載の照明アセンブリ。
【請求項６４】
上記光再指向エレメントは、上記回路基板の接線に対して垂直な軸に沿って光を向き付ける、
ことを特徴とする請求項６２に記載の照明アセンブリ。
【請求項６５】
上記筐体は、カバーおよびハウジングを備えている、
ことを特徴とする請求項６０に記載の照明アセンブリ。
【請求項６６】
上記カバーは、上記共通点と一致している中心を有している、
ことを特徴とする請求項６５に記載の照明アセンブリ。
【請求項６７】
上記カバーは、楕円体である、
ことを特徴とする請求項６５に記載の照明アセンブリ。
【請求項６８】
上記カバーは、回転楕円体である、
ことを特徴とする請求項６５に記載の照明アセンブリ。
【請求項６９】
上記ハウジングは、双曲面体状の部分を有している、
ことを特徴とする請求項６５に記載の照明アセンブリ。
【請求項７０】
上記回路基板は、上記双曲面体状の部分に隣接して配置されている、
ことを特徴とする請求項６９に記載の照明アセンブリ。
【請求項７１】
上記筐体に隣接している上記筐体の内部に配置されているヒートシンクを更に備え、
上記回路基板は、熱を外方向へ放射状に放射し、
上記筐体は、上記ヒートシンクと共に熱を拡散する、
ている、
ことを特徴とする請求項７０に記載の照明アセンブリ。
【請求項７２】
フィンを備えるヒートシンクをさらに備えており、各ヒートシンクは筐体の共通軸に沿って配置されている開口部を有している、
ことを特徴とする請求項６０に記載の照明アセンブリ。
【請求項７３】
上記光再指向エレメントを横切って延伸している光シフトエレメントを更に備えている、
ことを特徴とする請求項６０に記載の照明アセンブリ。
【請求項７４】
上記光シフトエレメントの中心点は、上記共通点と一致している、
ことを特徴とする請求項７３に記載の照明アセンブリ。
【請求項７５】
上記光シフトエレメントは、上記共通点と上記複数の光源との間に配置されているフィルムを含んでいる、
ことを特徴とする請求項７３に記載の照明アセンブリ。
【請求項７６】
上記ヒートシンクは、自身を通過するヒートステークを備える開口部であって軸方向に配置されている開口部を備えている、
ことを特徴とする請求項７０に記載の照明アセンブリ。
【請求項７７】
上記ヒートステークは、上記筐体のベースに結合されている、
ことを特徴とする請求項７６に記載の照明アセンブリ。
【請求項７８】
上記フィルムは、上記筐体付近での第１の光シフト率、および、上記第１の光シフト率よりも大きい、上記フィルムの中心点付近での第２の光シフト率を有する光シフト勾配を有している物質を含んでいる、
ことを特徴とする請求項７５に記載の照明アセンブリ。
【請求項７９】
上記光シフトエレメントは、支持棒を伴って上記回路基板に結合されている、
ことを特徴とする請求項７３に記載の照明アセンブリ。
【請求項８０】
上記光シフトエレメントは、球体状である、
ことを特徴とする請求項７３に記載の照明アセンブリ。
【請求項８１】
上記光シフトエレメントは、上記回路基板に結合されている半球体を有している、
ことを特徴とする請求項７３に記載の照明アセンブリ。
【請求項８２】
上記光再指向エレメントは、自開口部の中に配置されている上記光源を有する上記回路基板の開口部の内部に配置されている反射面を備えている、
ことを特徴とする請求項６０に記載の照明アセンブリ。
【請求項８３】
上記反射面は、部分的な楕円体を含んでいる、
ことを特徴とする請求項８２に記載の照明アセンブリ。
【請求項８４】
上記反射面は、光を上記共通点へ反射する、
ことを特徴とする請求項８３に記載の照明アセンブリ。
【請求項８５】
上記光再指向エレメントは、各光源の周りに配置されている反射器を備えている、
ことを特徴とする請求項６０に記載の照明アセンブリ。
【請求項８６】
上記反射器は、部分的な楕円体を含んでいる、
ことを特徴とする請求項８５に記載の照明アセンブリ。
【請求項８７】
上記部分的な楕円体は、上記複数の光源の内の１つの光源にて第１の焦点を有しており、上記共通点にて第２の焦点を有している、
ことを特徴とする請求項８６に記載の照明アセンブリ。
【請求項８８】
上記複数の光源は、青または紫外のスペクトルの光を生成する
ことを特徴とする請求項６０に記載の照明アセンブリ。
【請求項８９】
カバーと、
上記カバーに結合されているハウジングと、
上記ハウジングに結合されているランプのベースと、
上記ハウジングの内部に配置されている第１の回路基板と、
上記ハウジングの内部に配置されている上記光源に熱的に結合されているヒートシンクと、
上記第１の回路基板の上記光源および上記ランプのベースに電気的に結合されている細長い制御回路基板アセンブリと、
を備えており、
上記第１の回路基板は、非導電性の間隙によって離された複数の放射状に伸延する導体を有し、複数の光源の各々は近隣の上記放射状に伸延する導体に結合されており、
上記ヒートシンクは、自身を通過する開口部を有しており、
上記放射状に伸延する導体は、上記光源から上記ハウジングに向けて外方向へ放射状に熱を伝導し、
上記制御回路基板は、上記開口部を通って延伸しており、
上記制御回路基板は、上記光源を制御するために、上記制御回路基板上に複数の電気的コンポーネントを備えている、
いることを特徴とする照明アセンブリ。
【請求項９０】
上記制御回路基板は、円筒形状の制御回路基板である、
ことを特徴とする請求項８９に記載の照明アセンブリ。
【請求項９１】
上記円筒形状の制御回路基板は、エポキシ樹脂により満たされている、
ことを特徴とする請求項９０に記載の照明アセンブリ。
【請求項９２】
上記制御回路基板は、上記ヒートシンクの上記間隙を伴う複数の層に熱的に結合されている、
ことを特徴とする請求項８９に記載の照明アセンブリ。
【請求項９３】
上記ヒートシンクは、間隙を伴う複数の層を備え、
上記間隙を伴う複数の層の各々は、上記ハウジングに熱的に結合されている、
ことを特徴とする請求項８９に記載の照明アセンブリ。
【請求項９４】
上記ヒートシンクは、間隙を伴う複数の層を備え、
上記間隙を伴う複数の層は、上記ハウジングに固定されており、上記ハウジングに接続されるエッジを有している、
ことを特徴とする請求項８９に記載の照明アセンブリ。
【請求項９５】
上記ヒートシンクは、間隙を伴う複数の層を備え、
上記間隙を伴う複数の層は、上記ハウジングの双曲面体形状の部分に隣接して配置されている、
ことを特徴とする請求項８９に記載の照明アセンブリ。
【請求項９６】
上記ハウジングの上記双曲面形状の部分を通過する穿孔を更に有している、
ことを特徴とする請求項９５に記載の照明アセンブリ。
【請求項９７】
上記ヒートシンクの上記間隙を伴う複数の層に隣接している上記双曲面形状の部分の中の穿孔を更に有している、
ことを特徴とする請求項９５に記載の照明アセンブリ。
【請求項９８】
上記ヒートシンクは、グラファイトベースの物質を含んでいる、
ことを特徴とする請求項８９に記載の照明アセンブリ。
【請求項９９】
上記ヒートシンクは、異方性熱伝導物質を含んでいる、
ことを特徴とする請求項８９に記載の照明アセンブリ。
【請求項１００】
上記ヒートシンクは、等方性熱伝導物質を含んでいる、
ことを特徴とする請求項８９に記載の照明アセンブリ。
【請求項１０１】
上記ヒートシンクの上記開口部は、上記照明アセンブリの軸に沿って軸方向に配置されている、
ことを特徴とする請求項８９に記載の照明アセンブリ。
【請求項１０２】
上記ヒートシンクの上記開口部は、上記照明アセンブリの長手方向軸に沿って軸方向に配置されており、上記カバーの中心点と一致している、
ことを特徴とする請求項８９に記載の照明アセンブリ。
【請求項１０３】
上記光源は、上記長手方向軸の周りのリングに配置されている、
ことを特徴とする請求項１０２に記載の照明アセンブリ。
【請求項１０４】
上記放射状に伸延する導体は、くさび形状である、
ことを特徴とする請求項８９に記載の照明アセンブリ。
【請求項１０５】
上記制御回路基板は、上記開口部を通過して延伸しており、上記第１の回路基板に電気的に結合されている、
ことを特徴とする請求項８９に記載の照明アセンブリ。
【請求項１０６】
上記制御回路基板は、上記ランプのベースにおける溝の内部に受容されている、
ことを特徴とする請求項８９に記載の照明アセンブリ。
【請求項１０７】
上記溝は、上記制御回路基板上のエッジコネクタに電気的に結合するための電気接点を有している、
ことを特徴とする請求項１０６に記載の照明アセンブリ。
【請求項１０８】
上記制御回路基板は、上記制御回路基板から延伸するワイヤを有しており、上記ワイヤは、第１の回路基板における回路基板開口部の内部に受容されている、
ことを特徴とする請求項８９に記載の照明アセンブリ。
【請求項１０９】
上記放射状に伸延する導体は、自身を通過するビアを備えている、
ことを特徴とする請求項８９に記載の照明アセンブリ。
【請求項１１０】
上記ヒートシンクは、熱伝導物質を含んでいる、
ことを特徴とする請求項８９に記載の照明アセンブリ。
【請求項１１１】
上記開口部は、矩形状である、
ことを特徴とする請求項８９に記載の照明アセンブリ。
【請求項１１２】
上記ヒートシンクは、ヒートシンクフィンの複数の層の間を延伸している中心部を有している、
ことを特徴とする請求項８９に記載の照明アセンブリ。
【請求項１１３】
細長いハウジングと、
焦線を有している、上記細長いハウジングの内部の反射性の放物筒状表面と、
上記細長いハウジングに結合されている細長いカバーと、
上記放物筒状表面に向けて光を放射する、上記焦線に沿った長手方向に間隙を伴う複数の光源と、
を備えており、
上記反射性の放物筒状表面は、上記光源からの光を上記カバーを通して上記ハウジングの外側に反射させ、
上記放物筒状表面から反射した上記光は、動径方向においてコリメートされ、長手方向に散乱される、
ことを特徴とする照明アセンブリ。
【請求項１１４】
上記表面から反射した上記光は、上記細長いハウジングに向けて光を放射する、
ことを特徴とする請求項１１３に記載の照明アセンブリ。
【請求項１１５】
上記ハウジングは、上記放物筒状表面を有している、
ことを特徴とする請求項１１３に記載の照明アセンブリ。
【請求項１１６】
上記ハウジングは、円筒形状の外側表面を有しており、上記ハウジングの内側表面は、上記放物筒状表面である、
ことを特徴とする請求項１１３に記載の照明アセンブリ。
【請求項１１７】
上記カバーは、円筒形状を有している、
ことを特徴とする請求項１１３に記載の照明アセンブリ。
【請求項１１８】
上記カバーおよび上記ハウジングは、円筒を規定している、
ことを特徴とする請求項１１３に記載の照明アセンブリ。
【請求項１１９】
上記光源は、脚を伴って上記ハウジングまたは円筒形状表面に結合されている、
ことを特徴とする請求項１１３に記載の照明アセンブリ。
【請求項１２０】
上記光源は、支持台の表面に結合されている、
ことを特徴とする請求項１１３に記載の照明アセンブリ。
【請求項１２１】
上記放物筒状表面から反射した光をシフトする光をシフトする光シフトエレメントを更に備えている、
ことを特徴とする請求項１１３に記載の照明アセンブリ。
【請求項１２２】
上記光シフトエレメントは、上記放物筒状表面に結合されている、
ことを特徴とする請求項１２１に記載の照明アセンブリ。
【請求項１２３】
上記光シフトエレメントは、上記光源を支持している、
ことを特徴とする請求項１２１に記載の照明アセンブリ。
【請求項１２４】
上記光シフトエレメントは、制御回路から上記光源に電力を供給するための回路配線を有している、
ことを特徴とする請求項１２１に記載の照明アセンブリ。
【請求項１２５】
光シフトエレメントは、上記光源からの光を透過させる帯域通過フィルタに結合されている、
ことを特徴とする請求項１２１に記載の照明アセンブリ。
【請求項１２６】
ベースと、
部分的な反射性の放物面状の断面を有している、上記ベースから延伸しているハウジングと、
上記ハウジングの内部に配置されている光シフトエレメントと、
光を生成する、上記ハウジングに結合されている複数の光源と、
上記放物面状の断面に向けて上記光源からの光を反射させる角部と、
を備えており、
上記放物面状の断面から反射した上記光は、上記光シフトエレメントへ向き付けられ、
上記光シフトエレメントから反射した光は、上記ハウジングから反射した後、上記ハウジングの外側に向き付けられる、
ことを特徴とする照明アセンブリ。
【請求項１２７】
上記複数の光源は、拡張部に結合されている、
ことを特徴とする請求項１２６に記載の照明アセンブリ。
【請求項１２８】
上記拡張部は、上記角部から４５度の角度にて配置されている、
ことを特徴とする請求項１２７に記載の照明アセンブリ。
【請求項１２９】
上記拡張部は、上記角部と交差している、
ことを特徴とする請求項１２８に記載の照明アセンブリ。
【請求項１３０】
上記角部に向けてコリメートされた光を形成するための光再指向エレメントを更に備えている、
ことを特徴とする請求項１２６に記載の照明アセンブリ。
【請求項１３１】
上記光再指向エレメントは、レンズを含んでいる、
ことを特徴とする請求項１３０に記載の照明アセンブリ。
【請求項１３２】
上記光再指向エレメントは、反射器を含んでいる、
ことを特徴とする請求項１３１に記載の照明アセンブリ。
【請求項１３３】
上記ハウジングの内部に配置されている制御回路を更に備えている、
ことを特徴とする請求項１２６に記載の照明アセンブリ。
【請求項１３４】
上記ハウジングの上記ベースの内部に配置されている制御回路を更に備えている、
ことを特徴とする請求項１２６に記載の照明アセンブリ。
【請求項１３５】
上記ハウジングは、上記制御回路および上記光源に接続されている配線を有している、ことを特徴とする請求項１５２に記載の照明アセンブリ。
【請求項１３６】
上記配線は、上記ハウジングの内部に形成されている、
ことを特徴とする請求項１３５に記載の照明アセンブリ。
【請求項１３７】
上記角部に結合されているレンズを更に備えている、
ことを特徴とする請求項１２６に記載の照明アセンブリ。
【請求項１３８】
上記光シフトエレメントは、回転楕円体状の部分を有している
ことを特徴とする請求項１２６に記載の照明アセンブリ。
【請求項１３９】
上記球体状の部分は、上記ハウジングの長手方向軸上に中心を有している、
ことを特徴とする請求項１３８に記載の照明アセンブリ。
【請求項１４０】
上記光シフトエレメントは、回転楕円体状の部分および円筒形状の部分を有している、ことを特徴とする請求項１２６に記載の照明アセンブリ。
【請求項１４１】
上記光シフトエレメントは、上記ベースに結合されている、
ことを特徴とする請求項１２６に記載の照明アセンブリ。
【請求項１４２】
上記光シフトエレメントは、回転楕円体状の部分、第１の円筒形状の部分および第２円筒形状の部分を有している、
ことを特徴とする請求項１２６に記載の照明アセンブリ。
【請求項１４３】
ベースと、
上記ベースに結合されているハウジングと、
上記ハウジングに結合されているカバーと、
上記ハウジングの内部にあり、上記ハウジングに結合されている複数の光源と、
上記光源を駆動するための、上記光源に電気的に結合されている制御回路と、
を備えており、
上記光源は、光を生成し、
上記制御回路は、上記ベースの内部に収容されている、
ことを特徴とする照明アセンブリ。
【請求項１４４】
上記制御回路は、上記ベースの内部に全体的に収容されている、
ことを特徴とする請求項１４３に記載の照明アセンブリ。
【請求項１４５】
上記制御回路は、上記ベースの内部に密封されている、
ことを特徴とする請求項１４３に記載の照明アセンブリ。
【請求項１４６】
上記ベースは、導電性である、
ことを特徴とする請求項１４３に記載の照明アセンブリ。
【請求項１４７】
上記ベースは容積を有しており、上記制御回路は全体的に上記容積の内部に存在している、
ことを特徴とする請求項１４３に記載の照明アセンブリ。
【請求項１４８】
上記ハウジングは、双曲面体状の部分を有している、
ことを特徴とする請求項１４３に記載の照明アセンブリ。
【請求項１４９】
上記カバーは、楕円体状の部分を有している、
ことを特徴とする請求項１４３に記載の照明アセンブリ。
【請求項１５０】
上記カバーは、回転楕円体状の部分を有している、
ことを特徴とする請求項１４３に記載の照明アセンブリ。
【請求項１５１】
自制御回路上に複数の光源を有している、上記ハウジングの内部に配置されている第１の制御回路を更に備えている、
ことを特徴とする請求項１４３に記載の照明アセンブリ。
【請求項１５２】
上記光源に熱的に結合されているヒートシンクを更に備えている、
ことを特徴とする請求項１４３に記載の照明アセンブリ。
【請求項１５３】
上記ヒートシンクは、外側エッジを有する間隙を伴う複数の層、および、自身を通過する開口部を有している、
ことを特徴とする請求項１５２に記載の照明アセンブリ。
【請求項１５４】
上記外側エッジの各々は、上記ハウジングに接続されている、
ことを特徴とする請求項１５３に記載の照明アセンブリ。
【請求項１５５】
上記間隙を伴う複数の層は、上記ハウジングに固定されている、
ことを特徴とする請求項１５３に記載の照明アセンブリ。
【請求項１５６】
上記間隙を伴う複数の層は、上記ハウジングの双曲面形状の部分に隣接して配置されている、
ことを特徴とする請求項１５３に記載の照明アセンブリ。
【請求項１５７】
上記ハウジングの上記双曲面形状の部分を通過する穿孔を更に有している、
ことを特徴とする請求項１５６に記載の照明アセンブリ。
【請求項１５８】
上記ヒートシンクの上記間隙を伴う複数の層に隣接している上記双曲面形状の部分の中の穿孔を更に有している、
ことを特徴とする請求項１５６に記載の照明アセンブリ。
【請求項１５９】
上記ヒートシンクは、グラファイトベースの物質を含んでいる、
ことを特徴とする請求項１５２に記載の照明アセンブリ。
【請求項１６０】
上記ヒートシンクは、異方性熱伝導物質を含んでいる、
ことを特徴とする請求項１５２に記載の照明アセンブリ。
【請求項１６１】
上記ヒートシンクは、等方性熱伝導物質を含んでいる、
ことを特徴とする請求項１５２に記載の照明アセンブリ。
【請求項１６２】
上記光源は、上記照明アセンブリの長手方向軸の周りのリングに配置されている、
ことを特徴とする請求項１４３に記載の照明アセンブリ。
【請求項１６３】
上記光源は、固体光源である、
ことを特徴とする請求項１４３に記載の照明アセンブリ。
【請求項１６４】
上記制御回路は、上記ベースに部分的に収容されている、
ことを特徴とする請求項１４３に記載の照明アセンブリ。
【請求項１６５】
上記制御回路は、上記ベースの内部に形成されている溝の内部に受容されている、
ことを特徴とする請求項１６４に記載の照明アセンブリ。
【請求項１６６】
上記溝は、上記ベースの外側に電気的に結合されている、
ことを特徴とする請求項１６５に記載の照明アセンブリ。
【請求項１６７】
上記溝は、制御回路を有している回路基板のエッジ接点に電気的に結合するための接点を上記溝の中に有している、
ことを特徴とする請求項１６６に記載の照明アセンブリ。
【請求項１６８】
上記回路基板は、上記光源を備えている第２の回路基板に電気的に結合されている、
ことを特徴とする請求項１６７に記載の照明アセンブリ。